(57)【要約】【課題】外観に曝される収納容器の側面にはその上面からの雨だれを流さない構造の経済的な収納容器の提案。【解決手段】住宅の脇に設置する貯湯タンクの収納容器容器であり、容器天板の上面に導水溝及び天板の住宅側の端に排水溝を設け、容器上面に降った雨水を導水溝に集水し、更に、排水溝から雨水を住宅側に放出することを特徴とするもの。【選択図】図１
2011208856.tif 000002
【特許請求の範囲】
【請求項１】
住宅の脇に設置する容器本体（２）と容器天板（蓋）（３）からなる貯湯タンクの収納容器（１）であり、
前記容器天板（３）の上面（９）に導水溝（４）及び前記天板の住宅側の端に排水溝（５）を設け、前記上面（９）に降った雨水を前記導水溝（４）に集水し、更に、前記排水溝（５）から前記雨水を住宅側に放出すること、
を特徴とする貯湯タンクの収納容器（１）。
【請求項２】
前記導水溝（５）には、前記天板の住宅側の端の方に向けて下りの傾斜を有する部分があること、
を特徴とする請求項１に記載の貯湯タンクの収納容器（１）。
【発明の詳細な説明】
【技術分野】
【０００１】
本発明は、給湯装置の貯湯タンクを収納する屋外設置の収納容器に関する。
【背景技術】
【０００２】
図３に示すように、給湯装置の貯湯タンクの収納容器１の上面９には雨水が直接かかり、その上面に付着又は堆積していた埃などが雨水により流れ出し、収納容器１の側面に埃などが含まれた雨だれが流れる。そして、収納容器１の外面は、住宅の外壁１００とマッチさせるため、白系統の塗色をすることが多く、その雨だれの流れた跡に沿って黒ずみ１０２が発生し、外観を損ねることがしばしばある。この黒ずみ１０２は、放置すると収納容器１にこびり付き、容易には取れなくなる。
【０００３】
このようななかで、収納容器の側面に取り付けた表示ラベルの雨だれによる汚損を防止する方策として、表示ラベルの上に前方に突出する突部を設けることが提案されている（特許文献１）。しかし、この方法は、収納容器の側面の一部に取り付けてある表示ラベルの汚損を防止するためのものであり、比較的大きなサイズの貯湯タンクの収納容器の側面全体にわたる汚損防止を目的とするものではない。
【０００４】
また、撥水塗装等を側面に施した貯湯タンクの収納容器もあるが、雨だれの後の黒ずみを完全には回避できず、また、高価でもある。
【０００５】
他方で、設置スペースの点から、収納容器１は住宅の外壁１００の直ぐ脇に設置されるのが普通であるが、住宅に面する収納容器１の側面が汚れても、外観には曝されず、収納容器１の外観を損ねることはない。また、一つの側面に黒ずみ１０２が集中したとしても、収納容器１の機能が劣化する訳でもない。
【先行技術文献】
【特許文献】
【０００６】
【特許文献１】特開２００８−１６６３３７号公報
【発明の概要】
【発明が解決しようとする課題】
【０００７】
そこで、外観に曝される収納容器の側面にはその上面からの雨だれを流さない構造の経済的な収納容器の提案が望まれる。
【課題を解決するための手段】
【０００８】
そこで、発明者らは、この課題を解決すべく、次の構成の第１の発明を成した。
住宅の脇に設置する容器本体２と容器天板（蓋）３からなる貯湯タンクの収納容器１であり、
前記容器天板３の上面９に導水溝４及び前記天板の住宅側の端に排水溝５を設け、前記上面９に降った雨水を前記導水溝４に集水し、更に、前記排水溝５から前記集水された雨水を住宅側に放出すること、
を特徴とする貯湯タンクの収納容器１。
【０００９】
更に、次の構成の第２の発明を成した。
第１の発明の収容容器１であり、前記導水溝５には、前記天板の住宅側の端の方に向けて下りの傾斜を有する部分があること、
を特徴とする貯湯タンクの収納容器１。
【発明の効果】
【００１０】
本発明により、収納容器１の上面９に降った雨水は、容器天板３の側面に流れずに、導水溝４により集水される。その集水された雨水は、排水溝５より住宅側に排出されることから、収納容器１の側面にはが容器天板３の上面からの雨水の雨だれは殆ど流れず、収納容器１の外観部分での黒ずみ１０２の発生を防ぐことができる。
【図面の簡単な説明】
【００１１】
【図１】本発明に係る収納容器の天板の構造の一例を示す図面である。（Ａ）は平面        図、（Ｂ）は断面図（Ｐ１-Ｐ２断面）、（Ｃ）は断面図（Ｑ１-Ｑ２断面）        、（Ｄ）は断面の一例である。
【図２】本発明に係る収納容器の天板の構造の他の一例を示す図面である。（Ａ）は        斜視図、（Ｂ）は断面図（Ｒ１-Ｒ２断面）、（Ｃ）は断面図（Ｓ１-Ｓ２断        面）である。なお、（Ｂ）と（Ｃ）では、断面の肉厚部分の斜線表示は省略        してある。
【図３】収納容器からの雨だれによる黒ずみの発生を示す図面である。
【図４】収納容器の天板の上面に単純な傾斜を付けた場合を示す図面である。
【発明を実施するための形態】
【００１２】
以下、添付図面を参照しながら、本発明の実施形態について説明する。
なお、以下の実施形態は、本発明の具体例であり、特に言及が無い場合を除き、本発明の技術的範囲を限定するものではない。
【００１３】
（実施例の説明）
図４は、収納容器１の天板３の上面９に単純に傾斜を付けたものである。この傾斜は、住宅側の方に向けて下っている。この場合も、上面９に雨水が落ちると、雨水は水滴１０３ａとなり住宅側に向かって流れていき、最終的には天板３から落下する。しかし、下り傾斜方向と角度を成す方向に吹く風に伴った雨水の場合は、天板３の住宅側の端までに行き着く前に天板３から落下する水滴１０３ｂが発生しうる。そして、その場合には、収納容器１の側面に黒ずみ１０２が発生する可能性がある。そのため、天板３の上面９に単純に傾斜を付けただけでは充分な黒ずみ１０２発生の防止効果が得られない。
【００１４】
そこで、図１（Ａ）〜（Ｃ）に示すように、天板３の上面９の四周に導水溝４を設け、この導水溝４に雨水を集める。そして、天板３の住宅側の端に排水溝５を設け、これに導水溝４を接続し、導水溝４に集水した雨水を排水溝５から住宅側に放出する。図１では、導水溝４は四辺形を構成しているが、これに限定するものではなく、例えば、水平断面が円形の収納容器１の場合は、導水溝４を円形に構成してもよい。
【００１５】
ただし、導水溝４と天板３の端との間の部分はなるべく短くする必要がある。これは、この部分に雨水が落ちた場合に、直ぐに天板３の端から落下する可能性が高くなり、それを少なくするためである。また、この部分からの雨水の落下を極力防ぎ、集水効果を高めるために、図１（Ｄ）に示すように、この部分に天板３の中心部の方向に下るように傾斜をつけてもよい。更に、図１（Ｄ）に示すように、天板３の導水溝４より中心方向の部分を凸状にして、雨水の集水効果（集水速度）を高めてもよい。
【００１６】
図２は、天板３の上面９を別の構成にしたものである。導水溝４、排水溝５を有するのは共通しているが、導水溝４を天板３の住宅側の端の方に向けて下りの傾斜を有する部分を設けたことで相違する。この様に傾斜を有する部分を設けることで、雨水の迅速な排水が可能になる。
【００１７】
以上においては、主に天板３について説明してきたが、上記対策を施しても、天板３の上面９に降った雨水を天板３の住宅側の端からのみ落とすことは不可能である。そのため、これ以外の天板３の端からの雨水の落下においても、収納容器本体２の側面に雨だれがつかないよう、天板３の側面と本体２の側面に、５から１０ミリメートル程度の段差を設けるとよい（段差を大きくすれば天板３からの雨だれが本体２の側面に付か無くなる効果が大きくなるが、段差を大きくすると、収納容器１の設置スペースがそれだけ広くなるので、５から１０ミリメートル程度の段差に抑えた方がよい）。これにより、天板３の側面の雨だれが本体２の側面に渡らず、そのまま落下する可能性が高まる。
また、天板３を本体２と接続するためには、ネジ孔等を相互に設ける必要があるが、図示はしていない。
【符号の説明】
【００１８】
１  貯湯タンクの収納容器、
２  収納容器本体、
３  収納容器天板（蓋）、
４  導水溝、
５  排水溝、
９  収納容器天板の上面、
１０  収納容器本体の保守用扉、
１００  住宅の外壁、
１０１  ヒートポンプユニット（室外機）、
１０２  黒ずみ、
１０３  水滴
【図１】
2011208856.tif 000003
【図２】
2011208856.tif 000004
【図３】
2011208856.tif 000005
【図４】
2011208856.tif 000006